(57)【要約】【課題】  震動や衝撃に対して耐力を有する可動式スクリーンの設置装置を提供することである。【解決手段】  本発明における可動式スクリーンの設置装置は、横方向にスライド移動可能なスクリーンを所定面に設置するための可動式スクリーンの設置装置であって、略水平方向に配置されるガイドレールと、ガイドレールに沿って走行可能な走行手段と、スクリーンを保持する保持フレームと、保持フレームの上部近傍において、保持フレームと走行手段とを連結する連結部と、を備え、連結部は、略鉛直方向の振動を減衰させる第１のダンパー部材を含むことを特徴とする。【選択図】  図２
2017032928.tif 000002
【特許請求の範囲】
【請求項１】
横方向にスライド移動可能なスクリーンを所定面に設置するための可動式スクリーンの設置装置であって、
略水平方向に配置されるガイドレールと、
前記ガイドレールに沿って走行可能な走行手段と、
前記スクリーンを保持する保持フレームと、
前記保持フレームの上部近傍において、前記保持フレームと前記走行手段とを連結する連結部と、を備え、
前記連結部は、略鉛直方向の振動を減衰させる第１のダンパー部材を含むことを特徴とする、可動式スクリーンの設置装置。
【請求項２】
前記連結部は、略鉛直方向に延びる第１の連結部材を含み、
前記第１の連結部材の両端のうち、少なくとも一方に弾性部材を含むことを特徴とする、請求項１に記載の可動式スクリーンの設置装置。
【請求項３】
前記連結部は、略水平方向の振動を減衰させる第２のダンパー部材を含むことを特徴とする、請求項１または請求項２に記載の可動式スクリーンの設置装置。
【請求項４】
前記連結部は、略水平方向に延びる第２の連結部材を含み、
前記第２の連結部材の両端のうち、少なくとも一方に弾性部材を含むことを特徴とする、請求項３に記載の可動式スクリーンの設置装置。
【請求項５】
前記保持フレームの下部は自由端であることを特徴とする、請求項１乃至請求項４のいずれかに記載の可動式スクリーンの設置装置。
【請求項６】
前記連結部は、所定位置を回転軸として前記保持フレームの下部が前記所定面から離れるように前記保持フレームが回動可能な煽り回転軸を含むことを特徴とする、請求項５に記載の可動式スクリーンの設置装置。
【請求項７】
前記保持フレームと前記所定面との距離を所定値以上に保持するために、前記保持フレームの下部近傍から前記所定面に向かって延びる規制部材を、さらに備えることを特徴とする、請求項５または請求項６に記載の可動式スクリーンの設置装置。
【請求項８】
前記規制部材は、前記所定面を走行するキャスターを含むことを特徴とする、請求項７に記載の可動式スクリーンの設置装置。
【請求項９】
前記ガイドレールは、第１のガイドレールと前記第１のガイドレールよりも下方に配置される第２のガイドレールとを含み、
前記走行手段は、前記第１のガイドレールに沿って走行可能な第１の走行手段と、前記第２のガイドレールに沿って走行可能な第２の走行手段とを含み、
前記第１の走行手段と前記第２の走行手段とは走行面の向きが異なることを特徴とする、請求項１乃至請求項８のいずれかに記載の可動式スクリーンの設置装置。
【請求項１０】
前記第１の走行手段は、前記所定面に略平行である第１の走行面を走行し、
前記第２の走行手段は、前記第１の走行面と略垂直である第２の走行面を走行することを特徴とする、請求項９に記載の可動式スクリーンの設置装置。
【請求項１１】
横方向にスライド移動可能なスクリーンを所定面に設置するための可動式スクリーンの設置装置であって、
略水平方向に配置されるガイドレールと、
前記ガイドレールに沿って走行可能な走行手段と、
前記スクリーンを保持する保持フレームと、
前記保持フレームの上部近傍において、前記保持フレームと前記走行手段とを連結する連結部と、を備え、
前記連結部は、略水平方向の振動を減衰させるダンパー部材を含むことを特徴とする、可動式スクリーンの設置装置。
【発明の詳細な説明】
【技術分野】
【０００１】
本発明は、スクリーンを設置するためのスクリーンの設置装置に関し、より特定的には、横方向にスライド移動可能な可動式スクリーンを設置するための可動式スクリーンの設置装置に関する。
【背景技術】
【０００２】
一般的に、学校等の教育現場、研修会場、およびプレゼンテーション会場等では、黒板、ホワイトボード、あるいは大型スクリーン等を用いて、授業、講義、およびプレゼンテーション等が実施される。また、近年では、情報技術の発展とともに、表示システムの形態として、プロジェクター、電子黒板、およびインタラクティブボードも普及している。
【０００３】
そこで、壁面に既設されている黒板やホワイトボードに、プロジェクター、電子黒板、またはインタラクティブボードを付設することによって、黒板やホワイトボードをそのまま使用しつつ、プロジェクター、電子黒板、またはインタラクティブボードも使用可能とする設備が提案されている。
【０００４】
例えば、特許文献１には、主に、既設の黒板やホワイトボード等の壁面固定式ボードであるメインボードに対し、メインボード自体には何ら手を加えることなく、メインボードの前側にインタラクティブボードまたは薄型テレビであるサブボードを付設するための方法が開示されている。
【０００５】
図１１は、従来のサブボード付設システム１０を示す概要図である。図１１において、サブボード付設システム１０は、上部ガイドレール１１と、下部ガイドレール１２と、上部レール係動手段１３と、下部レール係動手段１４と、スライド枠２０とを備える。なお、スライド枠２０は、縦杵２１と、連結杵２２とを含む。
【０００６】
上部ガイドレール１１および下部ガイドレール１２は、壁面に既設されているメインボード４０（例えば、黒板）の上辺および下辺に沿うように、メインボード４０の外側にそれぞれ当該壁面に設置されている。
【０００７】
スライド枠２０は、上部ガイドレール１１と下部ガイドレール１２との間に配置されており、スライド枠２０には、サブボード３０が取り付けられる。スライド枠２０の上端部および下端部には、それぞれ上部レール係動手段１３および下部レール係動手段１４が配置されている。
【０００８】
上部レール係動手段１３および下部レール係動手段１４は、上部ガイドレール１１および下部ガイドレール１２にそれぞれ係合して走行可能に構成されていることにより、スライド枠２０に取り付けられたサブボード３０が横方向に移動可能となっている。
【０００９】
以上のように、従来のサブボード付設システム１０によれば、メインボード４０の前側にサブボード３０を付設するため、既設のメインボード４０の種類を問わず、メインボード４０自体には何ら手を加えることもなく、容易且つ迅速に、メインボード４０の本来の機能を使用しつつ、インタラクティブボード等の機能を備えることができる。
【先行技術文献】
【特許文献】
【００１０】
【特許文献１】特開２０１２−１６２０９０号公報
【発明の概要】
【発明が解決しようとする課題】
【００１１】
しかしながら、特許文献１に記載のサブボード付設システム１０では、上部レール係動手段１３が上部ガイドレール１１に嵌合されて、下部レール係動手段１４が下部ガイドレール１２に嵌合されているため、例えば、設置時、使用時もしくは移動時において負荷がかかった場合、および地震など、震動や衝撃に対する耐力が脆弱であるという問題があった。
【００１２】
それ故に、本発明は、上記のような課題に鑑みてなされたものであって、本発明の目的の１つは、震動や衝撃に対して耐力を有する可動式スクリーンの設置装置を提供することである。
【課題を解決するための手段】
【００１３】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１４】
本発明の一局面に係る可動式スクリーンの設置装置は、横方向にスライド移動可能なスクリーンを所定面に設置するための可動式スクリーンの設置装置であって、略水平方向に配置されるガイドレールと、ガイドレールに沿って走行可能な走行手段と、スクリーンを保持する保持フレームと、保持フレームの上部近傍において、保持フレームと走行手段とを連結する連結部と、を備え、連結部は、略鉛直方向の振動を減衰させる第１のダンパー部材を含むことを特徴とする。
かかる構成により、本発明の一局面に係る可動式スクリーンの設置装置は、震動や衝撃に対して耐力を有する。その結果、可動式スクリーンの設置装置の破損等を低減でき、また、スクリーンや当該可動式スクリーンの設置装置が落下する等の危険を未然に防止して安全性を確保することができる。
【００１５】
また、より好ましくは、連結部は、略鉛直方向に延びる第１の連結部材を含み、第１の連結部材の両端のうち、少なくとも一方に弾性部材を含む。
かかる構成により、本発明の一局面に係る可動式スクリーンの設置装置は、略鉛直方向に延びる第１の連結部材が弾性部材を含むため、特に、略鉛直方向に対する震動や衝撃を緩和することができる。
【００１６】
また、より好ましくは、連結部は、略水平方向の振動を減衰させる第２のダンパー部材を含む。
かかる構成により、本発明の一局面に係る可動式スクリーンの設置装置は、第２のダンパー部材が、特に、略水平方向の震動や衝撃に対して耐力を有する。
【００１７】
また、より好ましくは、連結部は、略水平方向に延びる第２の連結部材を含み、第２の連結部材の両端のうち、少なくとも一方に弾性部材を含む。
かかる構成により、本発明の一局面に係る可動式スクリーンの設置装置は、略水平方向に延びる第２の連結部材が弾性部材を含むため、特に、略水平方向に対する震動や衝撃を緩衝することができる。
【００１８】
また、より好ましくは、保持フレームの下部は自由端である。
かかる構成により、本発明の一局面に係る可動式スクリーンの設置装置は、保持フレームの下部は自由端であるため、震動や衝撃を受けたとしても、当該可動式スクリーンの設置装置に掛かる負荷を逃がすことができる。その結果、さらに、可動式スクリーンの設置装置の破損等を低減でき、また、スクリーンや当該可動式スクリーンの設置装置が落下する等の危険を未然に防止して安全性を確保することができる。
【００１９】
また、より好ましくは、連結部は、所定位置を回転軸として保持フレームの下部が所定面から離れるように保持フレームが回動可能な煽り回転軸を含む。
かかる構成により、本発明の一局面に係る可動式スクリーンの設置装置は、連結部が所定位置を回転軸とする煽り回転軸を含むため、所定面に対向する方向に保持フレームが煽られた場合であっても、可動式スクリーンの設置装置の破損等を低減でき、また、スクリーンや当該可動式スクリーンの設置装置が落下する等の危険を未然に防止して安全性を確保することができる。
【００２０】
また、より好ましくは、本発明の一局面に係る可動式スクリーンの設置装置は、保持フレームと所定面との距離を所定値以上に保持するために、保持フレームの下部近傍から所定面に向かって延びる規制部材を、さらに備える。
かかる構成により、本発明の一局面に係る可動式スクリーンの設置装置は、保持フレームの下部近傍から所定面に向かって延びる規制部材をさらに備えるため、保持フレームと所定面との距離を所定値以上に保持することができ、前後方向へ所定以上の負荷が掛かること抑止し、可動式スクリーンの設置装置の破損等を防止することができる。
【００２１】
また、より好ましくは、規制部材は、所定面のうちガイドレールが配置された位置より下方において、当該所定面を走行するキャスターを含む。
かかる構成により、本発明の一局面に係る可動式スクリーンの設置装置は、規制部材が所定面を走行するキャスターを含むため、使用者にとって可動式スクリーンをより安定してスムーズに横方向に移動させることができる。
【００２２】
また、より好ましくは、ガイドレールは、第１のガイドレールと第１のガイドレールよりも下方に配置される第２のガイドレールとを含み、走行手段は、第１のガイドレールに沿って走行可能な第１の走行手段と、第２のガイドレールに沿って走行可能な第２の走行手段とを含み、第１の走行手段と第２の走行手段とは走行面の向きが異なる。
かかる構成により、本発明の一局面に係る可動式スクリーンの設置装置は、第１のガイドレールと第２のガイドレールとを含み、それぞれを走行する第１の走行手段と第２の走行手段とは走行面の向きが異なるため、使用者にとって可動式スクリーンをより安定して設置および使用することができる。
【００２３】
また、より好ましくは、第１の走行手段は、所定面に略平行である第１の走行面を走行し、第２の走行手段は、第１の走行面と略垂直である第２の走行面を走行する。
かかる構成により、本発明の一局面に係る可動式スクリーンの設置装置は、第１の走行手段は、所定面に略平行である第１の走行面を走行し、第２の走行手段は、第１の走行面と略垂直である第２の走行面を走行するため、可動式スクリーンをスムーズに横方向に移動可能とするとともに、略鉛直方向への支持強度も向上させることができる。
【００２４】
また、本発明の一局面に係る可動式スクリーンの設置装置は、横方向にスライド移動可能なスクリーンを所定面に設置するための可動式スクリーンの設置装置であって、略水平方向に配置されるガイドレールと、ガイドレールに沿って走行可能な走行手段と、スクリーンを保持する保持フレームと、保持フレームの上部近傍において、保持フレームと走行手段とを連結する連結部と、を備え、連結部は、略水平方向の振動を減衰させるダンパー部材を含むことを特徴とする。
かかる構成により、本発明の一局面に係る可動式スクリーンの設置装置は、震動や衝撃に対して耐力を有する。その結果、可動式スクリーンの設置装置の破損等を低減でき、また、スクリーンや当該可動式スクリーンの設置装置が落下する等の危険を未然に防止して安全性を確保することができる。
【発明の効果】
【００２５】
以上のように、本発明によれば、震動や衝撃に対して耐力を有する可動式スクリーンの設置装置を実現することができる。
【図面の簡単な説明】
【００２６】
【図１】本発明の第１の実施形態に係る可動式スクリーンの設置装置１００の全体を示す概要図である。
【図２】本発明の第１の実施形態に係る可動式スクリーンの設置装置１００の全体を示す側面図である。
【図３】本発明の第１の実施形態に係る可動式スクリーンの設置装置１００の上部を示す側面拡大図である。
【図４】本発明の第２の実施形態に係る可動式スクリーンの設置装置２００の全体を示す概要図である。
【図５】本発明の第２の実施形態に係る可動式スクリーンの設置装置２００の全体を示す側面図である。
【図６】本発明の第２の実施形態に係る可動式スクリーンの設置装置２００の上部を示す側面拡大図である。
【図７】本発明の第３の実施形態に係る可動式スクリーンの設置装置３００の全体を示す概要図である。
【図８】本発明の第３の実施形態に係る可動式スクリーンの設置装置３００の全体を示す側面図である。
【図９】本発明の第４の実施形態に係る可動式スクリーンの設置装置４００の全体を示す概要図である。
【図１０】本発明の第４の実施形態に係る可動式スクリーンの設置装置４００の全体を示す側面図である。
【図１１】従来のサブボード付設システム１０を示す概要図である。
【発明を実施するための形態】
【００２７】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２８】
＜第１の実施形態＞
図１は、本発明の第１の実施形態に係る可動式スクリーンの設置装置１００の全体を示す概要図であり、図２は、本発明の第１の実施形態に係る可動式スクリーンの設置装置１００の全体を示す側面図である。
【００２９】
可動式スクリーンの設置装置１００は、第１のガイドレール１１０と、第２のガイドレール１２０と、第１のガイドローラー１３０と、第２のガイドローラー１４０と、連結部１５０と、保持フレーム１６０と、ケーブルガイド１７０とを備える。
【００３０】
第１のガイドレール１１０および第２のガイドレール１２０は、黒板１０１が設置されている壁面に略水平方向に配置され、壁面には、例えば、アンカー等により取り付けられて固定されている。
【００３１】
第１のガイドローラー１３０および第２のガイドローラー１４０は、それぞれ第１のガイドレール１１０および第２のガイドレール１２０に沿って転動可能に構成されている。第１のガイドレール１１０および第２のガイドレール１２０は、それぞれ第１のガイドローラー１３０および第２のガイドローラー１４０が外れないように開口部を狭くしつつ、安定的に保持するような形状となっている。
【００３２】
第１のガイドローラー１３０および第２のガイドローラー１４０が、それぞれ第１のガイドレール１１０および第２のガイドレール１２０に沿って転動することによって、保持フレーム１６０に保持されているスクリーン１６１が横方向にスライド移動する。
【００３３】
第１のガイドローラー１３０は、壁面に対向するローラーが第１のガイドレール１１０に沿って走行し、第２のガイドローラー１４０は、略鉛直下向きのローラーが第２のガイドレール１２０に沿って走行する。このように、第１のガイドローラー１３０と第２のガイドローラー１４０とで走行面の向きが異なることによって、特に、スクリーン１６１が大型スクリーンであったり、重量が大きかったりした場合であっても、横方向への移動がスムーズになるとともに、可動式スクリーンの設置装置１００およびスクリーン１６１を安定して支持している。
【００３４】
連結部１５０は、第１のガイドローラー１３０および第２のガイドローラー１４０と保持フレーム１６０の上部近傍とを連結するように構成されている。なお、図１において、連結部１５０は３箇所設置しているが、これに限定されるものでなく、例えば、スクリーン１６１の大きさや重量、および連結部１５０近傍の強度等に応じて、設置個数および設置位置を決定すればよい。連結部１５０の具体的な構成については、後述する。
【００３５】
保持フレーム１６０は、スクリーン１６１を保持するように構成されている。ここでは、保持フレーム１６０は、下部は自由端となっており、鉛直方向および水平方向に数本の棒状の保持部材を組み合わせることによって、スクリーン１６１を保持するように構成されているが、これに限定されるものでない。
【００３６】
保持フレーム１６０は、保持するスクリーン１６１の大きさおよび／または重量等に応じて様々な態様が考えられる。例えば、保持フレーム１６０は、スクリーン１６１の上部のみを吊り下げるように保持しても構わないし、スクリーン１６１の全面を板状の保持部材で保持しても構わないし、スクリーン１６１の左右両側から挟み込むように保持しても構わないし、その材質も、金属製、木材製、樹脂製など、スクリーン１６１を安定して保持できれば何でも構わない。
【００３７】
ケーブルガイド１７０は、配線ケーブル１７１を案内するものであって、例えば、スクリーン１６１に電源を供給するための電源ケーブル等を案内するものである。ケーブルガイド１７０は、スクリーン１６１を横方向にスライド移動させても配線ケーブル１７１が絡まることなく、また、スクリーン１６１および黒板１０１の表示を阻害することがないように構成されている。
【００３８】
次に、可動式スクリーンの設置装置１００において、第１のガイドローラー１３０および第２のガイドローラー１４０と保持フレーム１６０の上部近傍とを連結する連結部１５０の具体的な構成について、詳説する。
【００３９】
図３は、本発明の第１の実施形態に係る可動式スクリーンの設置装置１００の上部を示す側面拡大図である。図３において、可動式スクリーンの設置装置１００の連結部１５０は、第１のダンパー部材１５１と、第１の連結部材１５２とを含む。
【００４０】
第１のダンパー部材１５１は、略鉛直方向の振動を減衰させる機能を有しており、例えば、オイルダンパーまたはエアーダンパー等で構成されている。
【００４１】
第１の連結部材１５２は、略鉛直方向に延びており、その両端には弾性部材であるバネを有している。なお、ここでは、第１の連結部材１５２の両端にバネを有しているが、いずれか一端であっても構わない。また、弾性部材はバネに限定されるものでなく、例えば、ゴム等であっても構わない。
【００４２】
このように、連結部１５０は、第１のダンパー部材１５１と、第１の連結部材１５２とを含むことによって、可動式スクリーンの設置装置１００が受ける略鉛直方向の震動や衝撃を緩和しつつ、その振動を減衰させることができる。
【００４３】
以上のように、本発明の第１の実施形態に係る可動式スクリーンの設置装置１００によれば、可動式スクリーンの設置装置１００が受ける震動や衝撃に対して耐力を有し、その結果、可動式スクリーンの設置装置１００の破損等を低減でき、また、スクリーン１６１や当該可動式スクリーンの設置装置１００が落下する等の危険を未然に防止して安全性を確保することができる。
【００４４】
なお、本実施形態では、走行手段の一例として、第１のガイドレール１１０および第２のガイドレール１２０に沿って転動する第１のガイドローラー１３０および第２のガイドローラー１４０を挙げているが、走行手段は転動するローラーに限定されるものでない。例えば、第１のガイドレール１１０および第２のガイドレール１２０に沿って摺動するようなものであっても構わない。
【００４５】
また、本実施形態では、第１のガイドレール１１０および第２のガイドレール１２０は、壁面に設置される構成としたが、これに限定されるものではなく、例えば、黒板１０１の上端部または上端部近傍に設置されても構わない。
【００４６】
なお、本実施形態では、保持フレーム１６０の下部を自由端としたが、これに限定されるものではなく、例えば、黒板１０１の下方壁面に設置したガイドレールに沿って走行するように、可動式スクリーンの設置装置１００は、保持フレーム１６０の下部近傍にも上部近傍と同様に、連結部１５０を介して第１のガイドローラー１３０と第２のガイドローラー１４０とを備える構成としても構わない。
【００４７】
＜第２の実施形態＞
次に、本発明の第２の実施形態では、第１の実施形態と比べて、連結部および保持フレームの下部近傍に配置された規制部について、詳細に説明する。図４は、本発明の第２の実施形態に係る可動式スクリーンの設置装置２００の全体を示す概要図であり、図５は、本発明の第２の実施形態に係る可動式スクリーンの設置装置２００の全体を示す側面図である。なお、図４および図５において、図１および図２に示した本発明の第１の実施形態に係る可動式スクリーンの設置装置１００と同一の構成については、同一の参照符号を付すことによって、詳細な説明は省略する。本実施形態では、主に、本発明の第１の実施形態と異なる構成について説明する。
【００４８】
可動式スクリーンの設置装置２００は、第１のガイドレール１１０と、第２のガイドレール１２０と、第１のガイドローラー１３０と、第２のガイドローラー１４０と、連結部２５０と、保持フレーム１６０と、ケーブルガイド１７０と、規制部材２８０とを備える。
【００４９】
連結部２５０は、本発明の第１の実施形態で説明した連結部１５０と同様に、第１のガイドローラー１３０および第２のガイドローラー１４０と保持フレーム１６０の上部近傍とを連結するように構成されており、第１のダンパー部材２５１と、第１の連結部材２５２と、第２のダンパー部材２５３と、第２の連結部材２５４と、煽り回転軸２５５とを含む。
【００５０】
煽り回転軸２５５は、所定位置を回転軸として保持フレーム１６０の下部が壁面から離れるように保持フレーム１６０が回動可能なように構成されている。
【００５１】
保持フレーム１６０は、スクリーン１６１が鉛直方向と略平行になるように保持することが好ましいが、保持フレーム１６０の下部は、壁面に対して離れる方向に関して固定されていない自由端であることから、例えば、スクリーン１６１を横方向にスライド移動させる際、使用者が何らかの操作をする際、または地震等により震動や衝撃等を受けた際に、保持フレーム１６０が壁面に対して離れる方向に煽られる可能性がある。
【００５２】
この時、煽り回転軸２５５により、連結部２５０、および当該連結部２５０と保持フレーム１６０との接続部分等に対して負荷が集中することなく、保持フレーム１６０を回動させるため、連結部２５０、および当該連結部２５０と保持フレーム１６０との接続部等に対して負荷が集中することによる破損等を防止することができる。
【００５３】
規制部材２８０は、保持フレーム１６０と壁面との距離を所定値以上に保持するために、保持フレーム１６０の下部近傍から壁面に向かって延びるように構成されている。これにより、保持フレーム１６０の下部が壁面に対して近づくことによって、連結部２５０、および当該連結部２５０と保持フレーム１６０との接続部分等に対して負荷が集中することによる破損等を防止することができる。
【００５４】
なお、保持フレーム１６０と壁面との距離である所定値は、保持フレーム１６０がスクリーン１６１を鉛直方向と略平行に保持する状態で、保持フレーム１６０の下部近傍から壁面に向かって延びる規制部材２８０が壁面に当接する程度が好ましい。
【００５５】
また、保持フレーム１６０が壁面に対して離れる方向に煽られた後、壁面に対して近づく際に、規制部材２８０が壁面に衝突する場合がある。その際、その衝撃を緩和するために、規制部材２８０は、例えば、ゴム、バネ、またはガススプリング等の反発力を有する弾性部材２８１を含んで構成されていることが好ましい。
【００５６】
さらに、規制部材２８０は、壁面と当接する先端は、壁面を横方向に走行するキャスター２８２で構成されていても構わない。これにより、スクリーン１６１を横方向にスライド移動させる際、よりスムーズに安定して移動させることができる。
【００５７】
また、本実施形態では、規制部材２８０は、保持フレーム１６０の下部近傍の略中央に１つ配置されているが、これに限定されるものではなく、例えば、保持フレーム１６０の下部近傍の両端に配置されても構わない。スクリーン１６１を横方向にスライド移動させる際に、より安定してスライド移動が可能になる。
【００５８】
次に、可動式スクリーンの設置装置２００において、第１のガイドローラー１３０および第２のガイドローラー１４０と保持フレーム１６０の上部近傍とを連結する連結部２５０の具体的な構成について、詳説する。
【００５９】
図６は、本発明の第２の実施形態に係る可動式スクリーンの設置装置２００の上部を示す側面拡大図である。図６において、可動式スクリーンの設置装置２００の連結部２５０は、第１のダンパー部材２５１と、第１の連結部材２５２と、第２のダンパー部材２５３と、第２の連結部材２５４と、煽り回転軸２５５とを含む。煽り回転軸２５５については、上述した通りである。
【００６０】
第１のダンパー部材２５１および第１の連結部材２５２は、第１の実施形態で示した第１のダンパー部材１５１および第１の連結部材１５２と同様の構成であって、可動式スクリーンの設置装置２００が受ける略鉛直方向の震動や衝撃を緩和しつつ、その振動を減衰させるように構成されている。
【００６１】
第２のダンパー部材２５３は、略水平方向の振動を減衰させる機能を有しており、例えば、オイルダンパーまたはエアーダンパー等で構成されている。
【００６２】
第２の連結部材２５４は、略水平方向に延びており、その両端には弾性部材であるバネを有している。なお、ここでは、第２の連結部材２５４の両端にバネを有しているが、いずれか一端であっても構わない。また、弾性部材はバネに限定されるものでなく、例えば、ゴム等であっても構わない。
【００６３】
このように、連結部２５０は、第１のダンパー部材２５１と、第１の連結部材２５２と、第２のダンパー部材２５３と、第２の連結部材２５４とを含むことによって、可動式スクリーンの設置装置２００が受ける略鉛直方向および略水平方向の震動や衝撃を緩和しつつ、その振動を減衰させることができる。
【００６４】
以上のように、本発明の第２の実施形態に係る可動式スクリーンの設置装置２００によれば、可動式スクリーンの設置装置２００が受ける震動や衝撃に対して耐力を有し、その結果、可動式スクリーンの設置装置２００の破損等を低減でき、また、スクリーン１６１や当該可動式スクリーンの設置装置２００が落下する等の危険を未然に防止して安全性を確保することができる。
【００６５】
特に、本発明の第１の実施形態に係る可動式スクリーンの設置装置１００が奏する効果に加えて、連結部２５０に含まれる第２のダンパー部材２５３および第２の連結部材２５４によって、略水平方向の震動や衝撃を緩和しつつ、その振動を減衰させることができ、煽り回転軸２５５によって、保持フレーム１６０が壁面に対して離れる方向に煽られることによる連結部２５０周辺に集中する負荷を緩和することができ、規制部材２８０によって、保持フレーム１６０と壁面との距離を一定に保ちつつ、スクリーン１６１を横方向にスライド移動させる際、よりスムーズに安定して移動させることができる。
【００６６】
なお、本実施形態では、可動式スクリーンの設置装置２００は、本発明の第１の実施形態に係る可動式スクリーンの設置装置１００に比べて、略水平方向の第２のダンパー部材２５３および第２の連結部材２５４、煽り回転軸２５５、および規制部材２８０を追加する構成として説明したが、これらの構成を全て備える構成に限定されるものではない。これらの構成のうち、いずれかを追加する構成であっても各構成に応じた効果を奏することは言うまでもなく、いずれか１つだけ追加される構成であっても構わないし、複数を組み合わせて追加される構成であっても構わない。
【００６７】
また、本実施形態では、規制部材２８０は、壁面と当接する先端は、壁面を横方向に走行するキャスター２８２で構成されていたが、これに限定されるものではない。例えば、スクリーン１６１を横方向にスライド移動させる際に摩擦力が小さい部材であれば何でも構わない。さらに、壁面に衝突した際に、その衝撃を吸収するような部材であれば好ましく、例えば、シリコン等が考えられる。
【００６８】
＜第３の実施形態＞
次に、本発明の第３の実施形態では、第１および第２の実施形態と比べて、ガイドレールおよびガイドローラーについて、詳細に説明する。図７は、本発明の第３の実施形態に係る可動式スクリーンの設置装置３００の全体を示す概要図であり、図８は、本発明の第３の実施形態に係る可動式スクリーンの設置装置３００の全体を示す側面図である。なお、図７および図８において、図１および図２に示した本発明の第１の実施形態に係る可動式スクリーンの設置装置１００または図４および図５に示した本発明の第２の実施形態に係る可動式スクリーンの設置装置２００と同一の構成については、同一の参照符号を付すことによって、詳細な説明は省略する。本実施形態では、主に、本発明の第２の実施形態と異なる構成について説明する。
【００６９】
可動式スクリーンの設置装置３００は、ガイドレール３１０と、ガイドローラー３３０と、連結部２５０と、保持フレーム１６０と、ケーブルガイド１７０と、規制部材２８０とを備える。
【００７０】
可動式スクリーンの設置装置３００において、第１の実施形態に係る可動式スクリーンの設置装置１００および第２の実施形態に係る可動式スクリーンの設置装置２００と異なる点は、ガイドレールおよびガイドローラーを１つずつしか有さない点である。
【００７１】
ガイドレール３１０は、黒板１０１が設置されている壁面に略水平方向に配置され、壁面には、例えば、アンカー等により取り付けられて固定されている。
【００７２】
ガイドローラー３３０は、ガイドレール３１０に沿って転動可能に構成されており、略鉛直下向きのローラーがガイドレール３１０に沿って走行する。なお、ここでは、可動式スクリーンの設置装置３００およびスクリーン１６１を支持するために、ガイドローラー３３０のローラーが略鉛直下向きに走行するように走行面を配置しているが、走行面の向きはこれに限定されるものではなく、例えば、ガイドローラー３３０のローラーが壁面に対向するように走行する走行面を配置しても構わない。
【００７３】
以上のように、本発明の第３の実施形態に係る可動式スクリーンの設置装置３００によれば、可動式スクリーンの設置装置３００が受ける震動や衝撃に対して耐力を有し、その結果、可動式スクリーンの設置装置３００の破損等を低減でき、また、スクリーン１６１や当該可動式スクリーンの設置装置３００が落下する等の危険を未然に防止して安全性を確保することができる。
【００７４】
特に、本発明の第１の実施形態に係る可動式スクリーンの設置装置１００および第２の実施形態に係る可動式スクリーンの設置装置２００が奏する効果に加えて、ガイドレールおよびガイドローラーを１つずつしか有さないため、可動式スクリーンの設置装置３００の設置が容易であり、コストを低減させることができる。例えば、スクリーン１６１が小型および／または薄型スクリーンであったり、軽量であったりした場合には、特に、有用である。
【００７５】
＜第４の実施形態＞
次に、本発明の第４の実施形態では、第１〜第３の実施形態と比べて、壁面に設置される黒板について、詳細に説明する。図９は、本発明の第４の実施形態に係る可動式スクリーンの設置装置４００の全体を示す概要図であり、図１０は、本発明の第４の実施形態に係る可動式スクリーンの設置装置４００の全体を示す側面図である。なお、本発明の第４の実施形態に係る可動式スクリーンの設置装置４００の構成は、本発明の第２の実施形態に係る可動式スクリーンの設置装置２００とほぼ同一の構成であり、同一の参照符号を付すことによって、詳細な説明は省略する。
【００７６】
上述したように、本発明の第１〜第３の実施形態に係る可動式スクリーンの設置装置は、壁面に設置された黒板１０１の上辺および下辺を跨ぐように設置され、スクリーン１６１が黒板１０１の前面を横方向にスライド移動可能となっていた。
【００７７】
図９および図１０において、本発明の第４の実施形態に係る可動式スクリーンの設置装置４００は、上下方向へスライド移動可能となっている黒板４０１全体の上辺および下辺を跨ぐように設置され、クリーン１６１が黒板４０１の前面を横方向にスライド移動可能となっている。
【００７８】
以上のように、本発明の第４の実施形態に係る可動式スクリーンの設置装置４００によれば、上述した第１〜第３の実施形態に係る可動式スクリーンの設置装置と同様の効果を奏することは言うまでもなく、壁面に設置された黒板が、例えば、上下方向へのスライド可能な黒板４０１であったとしても適用することができることを示している。
【００７９】
また、第１〜第４の実施形態では、黒板１０１および黒板４０１を壁面固定型として説明したが、これに限定されるものでなく、その他移動可能型の黒板であっても構わないし、壁面固定型または移動可能型のホワイトボード、液晶モニター、およびその他表示画面であっても構わない。さらに、黒板１０１や黒板４０１が存在しない壁面に可動式スクリーンの設置装置を設定しても構わない。
【００８０】
＜その他の実施形態＞
本発明の第１〜第３の実施形態では、例えば、直下型の地震等を想定して、可動式スクリーンの設置装置が受ける略鉛直方向の震動および衝撃に対する耐力を有することを述べたが、適用場面によっては、可動式スクリーンの設置装置が受ける略鉛直方向でなく略水平方向の震動および衝撃に対する耐力を有する可動式スクリーンの設置装置も考えられる。
【００８１】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００８２】
本発明は、横方向にスライド移動可能なスクリーン等に利用可能であって、特に、黒板、ホワイトボード、大型スクリーン、プロジェクター、電子黒板、およびインタラクティブボードを設置する場合等に有用である。
【符号の説明】
【００８３】
１０  サブボード付設システム
１１  上部ガイドレール
１２  下部ガイドレール
１３  上部レール係動手段
１４  下部レール係動手段
２０  スライド枠
２１  縦杵
２２  連結杵
３０  サブボード
４０  メインボード
１００、２００、３００、４００  可動式スクリーンの設置装置
１０１、４０１  黒板
１１０  第１のガイドレール
１２０  第２のガイドレール
１３０  第１のガイドローラー
１４０  第２のガイドローラー
１５０、２５０  連結部
１６０  保持フレーム
１６１  スクリーン
１７０  ケーブルガイド
１７１  配線ケーブル
１５１、２５１  第１のダンパー部材
１５２、２５２  第１の連結部材
２５３  第２のダンパー部材
２５４  第２の連結部材
２５５  煽り回転軸
２８０  規制部材
２８１  弾性部材
２８２  キャスター
３１０  ガイドレール
３３０  ガイドローラー
【図１】
2017032928.tif 000003
【図２】
2017032928.tif 000004
【図３】
2017032928.tif 000005
【図４】
2017032928.tif 000006
【図５】
2017032928.tif 000007
【図６】
2017032928.tif 000008
【図７】
2017032928.tif 000009
【図８】
2017032928.tif 000010
【図９】
2017032928.tif 000011
【図１０】
2017032928.tif 000012
【図１１】
2017032928.tif 000013